(57)【要約】【課題】    本発明の目的は、複数のハンガーをまとめて一度に回収回収することができるようにして使用勝手を向上させたハンガー吊持具を提供するものである。【解決手段】    ハンガー吊持具１は、物干し竿２に着脱可能な着脱嵌合部１１を有すると共に、被係止部１２を備えた本体１０と、この本体１０に回動自在に設けられ、複数のハンガー３、３を吊持するハンガー吊持部を有した回動体１３と、この回動体１３に設けられ、被係止部１２に係止する係止部１４と、回動体１３の長手方向の一側面の部位に間隔を有して設けられた複数の立設部１５とを備えているものである。【選択図】図１
2014226246.tif 000002
【特許請求の範囲】
【請求項１】
物干し竿に着脱可能な着脱嵌合部を有すると共に、被係止部を備えた本体と、
この本体に回動自在に設けられ、複数のハンガーを吊持するハンガー吊持部を有した回動体と、
この回動体に設けられ、前記被係止部に係止する係止部と、
前記回動体の長手方向の一側面の部位に間隔を有して設けられた複数の立設部と、
を備えていることを特徴とするハンガー吊持具。
【請求項２】
物干し竿に着脱可能な着脱嵌合部を有すると共に、被係止部を備えた本体と、
この本体に回動自在に設けられ、複数のハンガーを吊持するハンガー吊持部を有した回動体と、
この回動体に設けられ、前記被係止部に係止する係止部と、
前記回動体の長手方向の一側面の部位に間隔を有して設けられた複数の立設部と、
を備えたハンガー吊持具であって、
前記係止部を前記被係止部に係止させた状態で、隣接する前記立設部と前記立設部との間にハンガーを位置させ、
前記ハンガーを前記ハンガー吊持具から回収するときは、前記係止部と前記被係止部との係止状態を解除し、前記回動体を回動させて、前記立設部を下方に移動させ、隣接するハンガー同士の前記回動体の長手方向の移動を許容させて、前記ハンガー吊持具から複数の前記ハンガーを一度に回収する
ことを特徴とするハンガーの回収方法。
【請求項３】
本体の一方の端部から垂下する第１の垂下部と、
本体の他方の端部から垂下する第２の垂下部とを備え、
回動体は、前記第１の垂下部と前記第２の垂下部に回動自在に支持され、
係止部を被係止部に係止させた状態で、隣接する立設部と立設部との間にハンガーを位置させる部位の他に、前記第１の垂下部と前記第１の垂下部に隣接する立設部との間にハンガーを位置させる部位が形成されている
ことを特徴とする請求項１記載のハンガー吊持具。
【請求項４】
本体の一方の端部から垂下する第１の垂下部と、
本体の他方の端部から垂下する第２の垂下部とを備え、
この回動体に設けられ、前記被係止部に係止する係止部と、
前記係止部は前記回動体に立設する係止立設部に設けられ、
この係止立設部と複数の立設部は、前記回動体の長手方向の一側面の部位に、前記長手方向に沿って設けられ、
前記係止部を前記被係止部に係止させた状態で、隣接する前記立設部と前記立設部との間にハンガーを位置させる部位の他に、前記係止立設部と前記係止立設部に隣接する前記立設部との間にハンガーを位置させる部位が形成されている
ことを特徴とする請求項１又は請求項３記載のハンガー吊持具。
【発明の詳細な説明】
【技術分野】
【０００１】
本発明は、ハンガー吊持具及びハンガーの回収方法に係り、特に、複数のハンガーをまとめて一度に回収することができるようにして使用勝手を向上させたハンガー吊持具及びハンガーの回収方法に関する。
【背景技術】
【０００２】
従来、例えば、物干し竿の外周面を覆う筒状の装飾部と、この装飾部の長手方向に沿って形成された帯状のハンガー係止部とを有してなり、このハンガー係止部には前記物干し竿の長手方向に沿ってハンガーを係止させる貫通孔が複数形成されている物干し竿カバーがある（例えば、特許文献１参照）。
この物干し竿カバーにあっては、ハンガーをハンガー係止部毎に係止させ、隣接するハンガーが風により片寄るのを防いで、隣接するハンガーの間隔を保持して、ハンガーにかけられた衣服等の乾きを促進させることができる。
【先行技術文献】
【特許文献】
【０００３】
【特許文献１】特開平８−２８０９８８号公報
【発明の概要】
【発明が解決しようとする課題】
【０００４】
ところが、上記物干し竿カバーにあっては、ハンガーを物干し竿カバーから回収するときは、ハンガーをハンガー係止部毎に一々取り外さねばならず、使用勝手が良好でないという問題点が生じた。
【０００５】
本発明は、前記問題点を考慮したなされたハンガー吊持具及びハンガーの回収方法を提供することを目的とする。
【課題を解決するための手段】
【０００６】
請求項１記載のハンガー吊持具は、物干し竿に着脱可能な着脱嵌合部を有すると共に、被係止部を備えた本体と、この本体に回動自在に設けられ、複数のハンガーを吊持するハンガー吊持部を有した回動体と、この回動体に設けられ、前記被係止部に係止する係止部と、前記回動体の長手方向の一側面の部位に間隔を有して設けられた複数の立設部とを備えているものである。
【０００７】
また、請求項２記載のハンガーの回収方法は、物干し竿に着脱可能な着脱嵌合部を有すると共に、被係止部を備えた本体と、この本体に回動自在に設けられ、複数のハンガーを吊持するハンガー吊持部を有した回動体と、この回動体に設けられ、前記被係止部に係止する係止部と、前記回動体の長手方向の一側面の部位に間隔を有して設けられた複数の立設部と、を備えたハンガー吊持具であって、前記係止部を前記被係止部に係止させた状態で、隣接する前記立設部と前記立設部との間にハンガーを位置させ、前記ハンガーを前記ハンガー吊持具から回収するときは、前記係止部と前記被係止部との係止状態を解除し、前記回動体を回動させて、前記立設部を下方に移動させ、隣接するハンガー同士の前記回動体の長手方向の移動を許容させて、前記ハンガー吊持具から複数の前記ハンガーを一度に回収するものである。
【０００８】
また、請求項３記載のハンガー吊持具は、請求項１記載のハンガー吊持具において、本体の一方の端部から垂下する第１の垂下部と、本体の他方の端部から垂下する第２の垂下部とを備え、回動体は、前記第１の垂下部と前記第２の垂下部に回動自在に支持され、係止部を被係止部に係止させた状態で、隣接する立設部と立設部との間にハンガーを位置させる部位の他に、前記第１の垂下部と前記第１の垂下部に隣接する立設部との間にハンガーを位置させる部位が形成されているものである。
【０００９】
また、請求項４記載のハンガー吊持具は、請求項１又は請求項３記載のハンガー吊持具において、本体の一方の端部から垂下する第１の垂下部と、本体の他方の端部から垂下する第２の垂下部とを備え、この回動体に設けられ、前記被係止部に係止する係止部と、前記係止部は前記回動体に立設する係止立設部に設けられ、この係止立設部と複数の立設部は、前記回動体の長手方向の一側面の部位に、前記長手方向に沿って設けられ、前記係止部を前記被係止部に係止させた状態で、隣接する前記立設部と前記立設部との間にハンガーを位置させる部位の他に、前記係止立設部と前記係止立設部に隣接する前記立設部との間にハンガーを位置させる部位が形成されているものである。
【発明の効果】
【００１０】
請求項１記載のハンガー吊持具によれば、立設部と立設部との間にハンガーを位置させ、隣接するハンガーが風により片寄るのを防いで、隣接するハンガーの間隔を保持して、ハンガーにかけられた衣服等の乾きを促進させ、ハンガーをハンガー吊持具から回収するときは、前記係止部と前記被係止部との係止状態を解除し、前記回動体を回動させて、前記立設部を下方に移動させ、隣接するハンガー同士の回動体の長手方向の移動を許容させて、ハンガーをまとめることができ、ハンガー吊持具から複数のハンガーを一度に回収することができるようにして使用勝手を向上させることができる。
【００１１】
また、請求項２記載のハンガーの回収方法によれば、係止部を被係止部に係止させた状態で、隣接する立設部と立設部との間にハンガーを位置させ、ハンガーをハンガー吊持具から回収するときは、前記係止部と前記被係止部との係止状態を解除し、回動体を回動させて、前記立設部を下方に移動させ、隣接するハンガー同士の前記回動体の長手方向の移動を許容させて、ハンガーをまとめることができ、ハンガー吊持具から複数の前記ハンガーを一度に回収することができるようにして使用勝手を向上させることができる。
【００１２】
また、請求項３記載のハンガー吊持具によれば、上述した請求項１記載の発明の効果に加え、係止部を被係止部に係止させた状態で、隣接する立設部と立設部との間にハンガーを位置させる部位の他に、第１の垂下部と前記第１の垂下部に隣接する立設部との間にハンガーを位置させる部位が形成されているため、ハンガー吊持具にハンガーをより多く吊持させることができる。
【００１３】
また、請求項４記載のハンガー吊持具によれば、上述した請求項１又は請求項３記載の発明の効果に加え、係止部を被係止部に係止させた状態で、隣接する立設部と立設部との間にハンガーを位置させる部位の他に、前記係止立設部と前記係止立設部に隣接する立設部との間にハンガーを位置させる部位が形成されているため、ハンガー吊持具にハンガーをより多く吊持させることができる。
【図面の簡単な説明】
【００１４】
【図１】図１は、本発明の一実施例のハンガー吊持具の概略的正面図である。
【図２】図２は、図１のＡ−Ａ線による概略的断面図である。
【図３】図３は、図２の着脱嵌合部の嵌合状態を解除した状態の概略的断面図である。
【図４】図４は、図１のＢ−Ｂ線による概略的断面図である。
【図５】図５は、図４の回動体の係止状態を解除した状態の概略的断面図である。
【図６】図６は、図１のＣ−Ｃ線による概略的断面図である。
【図７】図７は、図１のＤ−Ｄ線による概略的断面図である。
【図８】図８は、図１のハンガー吊持具の一使用状態を示す概略的正面図である。
【図９】図９は、図８の概略的側面図である。
【図１０】図１０は、図８の回動体の係止状態を解除し、回動体の立設部を垂下した状態の概略的正面図である。
【図１１】図１１は、図１０の概略的側面図である。
【図１２】図１２は、図１０のハンガーを矢印方向に移動させた状態の概略的正面図である。
【発明を実施するための形態】
【００１５】
本発明の一実施例のハンガー吊持具を図面（図１乃至図１２）を参照して説明する。
図１、図８に示す１は物干し竿２に取り付けられ、複数のハンガー３を吊持するハンガー吊持具である。
【００１６】
ハンガー吊持具１は、物干し竿２に着脱可能な着脱嵌合部１１を有すると共に、被係止部１２を備えた本体１０と、この本体１０に回動自在に設けられ、複数のハンガー３、３を吊持するハンガー吊持部を有した回動体１３と、この回動体１３に設けられ、被係止部１２に係止する係止部１４と、回動体１３の長手方向の一側面の部位に間隔を有して設けられた複数の立設部１５とを備えている。
着脱嵌合部１１は、例えば、物干し竿２に着脱が容易なように、分割されていて、物干し竿２に装着後、着脱嵌合部１１に設けた係止部１１Ａを本体１０に設けた被係止部１０Ａに係止するようにしている（図２及び図３参照）。着脱嵌合部１１は、本実施例では分割して設けられているが、本願発明にあっては、これに限らず、例えば、上記背景技術で述べた特開平８−２８０９８８号公報と同様、筒状に形成するようにしても良い。
【００１７】
また、本体１０は、本体１０の一方の端部から垂下する第１の垂下部１０Ａと、本体１０の他方の端部から垂下する第２の垂下部１０Ｂとを備えている。
上述した回動体１３は、図１及び図７に示すように、第１の垂下部１０Ａと第２の垂下部１０Ｂに回動自在に支持されている。
【００１８】
係止部１４を被係止部１２に係止させた状態で、隣接する立設部１５と立設部１５との間にハンガー３を位置させる（図８参照）。
その他に、図８に示すように、第１の垂下部１０Ａと第１の垂下部１０Ａに隣接する立設部１５との間にハンガー３を位置させる部位が形成されている。
その結果、ハンガー吊持具１にハンガー３をより多く吊持させることができる。
【００１９】
また、係止部１４は、図４及び図５に示すように、回動体１３に立設する係止立設部１４Ａに設けられ、この係止立設部１４Ａと複数の立設部１５は、回動体１３の長手方向の一側面の部位に、前記長手方向に沿って設けられている。
また、係止部１４を被係止部１２に係止させた状態で、隣接する立設部１５と立設部１５との間にハンガー３を位置させる部位の他に、図８に示すように、係止立設部１４Ａと係止立設部１４Ａに隣接する立設部１５との間にハンガー３を位置させる部位が形成されている。
その結果、ハンガー吊持具１にハンガー３をより多く吊持させることができる。
【００２０】
従って、上述しましたハンガー吊持具１（又は、ハンガーの回収方法）によれば、立設部１５と立設部１５との間にハンガー３を位置させ、隣接するハンガー３が風により片寄るのを防いで、隣接するハンガー３の間隔を保持して、ハンガー３にかけられた衣服２０等の乾きを促進させ、ハンガー３をハンガー吊持具１から回収するときは、図５、図１０に示すように、係止部１４と被係止部１２との係止状態を解除し、回動体１３を回動させて、立設部１５を下方に移動させ（図１０参照）、隣接するハンガー３同士の回動体１３の長手方向の移動を許容させて、ハンガー３を、例えば、図１２に示すように、まとめることができ、その結果、ハンガー吊持具１から複数のハンガー３を一度に回収することができるようにして使用勝手を向上させることができる。
【符号の説明】
【００２１】
１      ハンガー吊持具
２      物干し竿
３      ハンガー
１０    本体
１１    着脱嵌合部
１２    被係止部
１３    回動体
１４    係止部
１５    立設部
【図１】
2014226246.tif 000003
【図２】
2014226246.tif 000004
【図３】
2014226246.tif 000005
【図４】
2014226246.tif 000006
【図５】
2014226246.tif 000007
【図６】
2014226246.tif 000008
【図７】
2014226246.tif 000009
【図８】
2014226246.tif 000010
【図９】
2014226246.tif 000011
【図１０】
2014226246.tif 000012
【図１１】
2014226246.tif 000013
【図１２】
2014226246.tif 000014